【手続補正書】
【提出日】平成24年8月30日(2012.8.30)
【手続補正１】
【補正対象書類名】特許請求の範囲
【補正対象項目名】全文
【補正方法】変更
【補正の内容】
【特許請求の範囲】
【請求項１】
立体視画像を構成する多視点の画像を符号化する符号化手段と、
ランダムアクセス単位の先頭のピクチャが前記多視点の画像のうちのいずれか１つの視点の画像のピクチャとなり、残りの視点の画像のピクチャが符号化順で前記先頭のピクチャ以降のピクチャとなるように配置して符号化するように、前記符号化手段を制御する制御手段と
を備える画像処理装置。
【請求項２】
前記制御手段は、前記先頭のピクチャとなる画像を含む多視点の画像のピクチャが符号化順で連続するように配置して符号化するように、前記符号化手段を制御する
請求項１に記載の画像処理装置。
【請求項３】
前記制御手段は、前記多視点の画像のピクチャが符号化順で常に連続するように配置して符号化するように、前記符号化手段を制御する
請求項２に記載の画像処理装置。
【請求項４】
前記制御手段は、左眼で観察される左画像と右眼で観察される右画像とをペアとして表示順で連続するように配置して符号化するように、前記符号化制御手段を制御する
請求項２に記載の画像処理装置。
【請求項５】
前記多視点の画像は、左眼で観察される左画像と右眼で観察される右画像から構成されるステレオ画像であり、
前記制御手段は、前記ランダムアクセス単位の先頭のピクチャが前記左画像のピクチャとなり、その左画像とステレオ画像を構成する右画像のピクチャが符号化順で前記先頭のピクチャ以降となるように配置して符号化するように、前記符号化手段を制御する
請求項１に記載の画像処理装置。
【請求項６】
前記制御手段は、前記左画像と前記右画像とをペアとして表示順で連続するように配置して符号化するように、前記符号化制御手段を制御する
請求項５に記載の画像処理装置。
【請求項７】
前記多視点の画像は、左眼で観察される左画像と右眼で観察される右画像から構成されるステレオ画像であり、
前記制御手段は、前記ランダムアクセス単位の先頭のピクチャが前記右画像のピクチャとなり、その右画像とともにステレオ画像を構成する左画像のピクチャが符号化順で前記先頭のピクチャ以降となるように配置して符号化するように、前記符号化手段を制御する
請求項１に記載の画像処理装置。
【請求項８】
前記制御手段は、前記左画像と前記右画像とをペアとして表示順で連続するように配置して符号化するように、前記符号化制御手段を制御する
請求項７に記載の画像処理装置。
【請求項９】
画像処理装置が、
立体視画像を構成する多視点の画像を符号化する符号化ステップと、
ランダムアクセス単位の先頭のピクチャが前記多視点の画像のうちのいずれか１つの視点の画像のピクチャとなり、残りの視点の画像のピクチャが符号化順で前記先頭のピクチャ以降のピクチャとなるように配置して符号化するように、前記符号化を制御する制御ステップと
を含む画像処理方法。
【請求項１０】
コンピュータを、
立体視画像を構成する多視点の画像を符号化する符号化手段と、
ランダムアクセス単位の先頭のピクチャが前記多視点の画像のうちのいずれか１つの視点の画像のピクチャとなり、残りの視点の画像のピクチャが符号化順で前記先頭のピクチャ以降のピクチャとなるように配置して符号化するように、前記符号化手段を制御する制御手段と
して機能させるためのプログラム。
【請求項１１】
請求項１０に記載のプログラムが記録されている記録媒体。
【請求項１２】
立体視画像を構成する多視点の画像のランダムアクセス単位の先頭のピクチャが前記多視点の画像のうちのいずれか１つの視点の画像のピクチャとなり、残りの視点の画像のピクチャが符号化順で前記先頭のピクチャ以降のピクチャとなるように配置されて符号化されることによって得られる符号化ストリームを復号する復号手段と、
前記復号手段により前記符号化ストリームが途中から復号される場合に、前記ランダムアクセス単位の先頭のピクチャから復号を開始するように、前記復号手段を制御する制御手段と
を備える画像処理装置。
【請求項１３】
前記制御手段は、前記復号中にエラーが発生した場合に、前記復号手段による復号を停止し、復号が停止されたピクチャの直後の前記ランダムアクセス単位の先頭のピクチャから復号を開始するように、前記復号手段を制御する
請求項１２に記載の画像処理装置。
【請求項１４】
前記制御手段は、前記符号化ストリームの所定の位置からの復号が指令された場合に、その位置の直近の前記ランダムアクセス単位の先頭のピクチャから復号を開始するように、前記復号手段を制御する
請求項１２に記載の画像処理装置。
【請求項１５】
前記符号化ストリームは、左眼で観察される左画像と右眼で観察される右画像とがペアとして表示順で連続するように配置されて符号化されることによって得られる
請求項１２に記載の画像処理装置。
【請求項１６】
前記多視点の画像は、左眼で観察される左画像と右眼で観察される右画像から構成されるステレオ画像であり、
前記符号化ストリームは、前記ランダムアクセス単位の先頭のピクチャが前記左画像のピクチャとなり、その左画像とステレオ画像を構成する右画像のピクチャが符号化順で前記先頭のピクチャ以降となるように配置されて符号化されることによって得られる符号化ストリームであり、
前記復号手段は、前記ランダムアクセス単位の先頭のピクチャを復号することによって結果得られる画像データを、前記左画像の画像データとして出力する
請求項１２に記載の画像処理装置。
【請求項１７】
前記符号化ストリームは、前記左画像と前記右画像とがペアとして表示順で連続するように配置されて符号化されることによって得られる
請求項１６に記載の画像処理装置。
【請求項１８】
前記多視点の画像は、左眼で観察される左画像と右眼で観察される右画像から構成されるステレオ画像であり、
前記符号化ストリームは、前記ランダムアクセス単位の先頭のピクチャが前記右画像のピクチャとなり、その右画像とステレオ画像を構成する左画像のピクチャが符号化順で前記先頭のピクチャ以降となるように配置されて符号化されることによって得られる符号化ストリームであり、
前記復号手段は、前記ランダムアクセス単位の先頭のピクチャを復号することによって得られる画像データを、前記右画像の画像データとして出力する
請求項１２に記載の画像処理装置。
【請求項１９】
前記符号化ストリームは、前記左画像と前記右画像とがペアとして表示順で連続するように配置されて符号化されることによって得られる
請求項１８に記載の画像処理装置。
【請求項２０】
画像処理装置が、
立体視画像を構成する多視点の画像のランダムアクセス単位の先頭のピクチャが前記多視点の画像のうちのいずれか１つの視点の画像のピクチャとなり、残りの視点の画像のピクチャが符号化順で前記先頭のピクチャ以降のピクチャとなるように配置されて符号化されることによって得られる符号化ストリームを復号する復号ステップと、
前記復号ステップの処理により前記符号化ストリームが途中から復号される場合に、前記ランダムアクセス単位の先頭のピクチャから復号を開始するように、前記復号を制御する制御手ステップと
を含む画像処理方法。
【請求項２１】
コンピュータを、
立体視画像を構成する多視点の画像のランダムアクセス単位の先頭のピクチャが前記多視点の画像のうちのいずれか１つの視点の画像のピクチャとなり、残りの視点の画像のピクチャが符号化順で前記先頭のピクチャ以降のピクチャとなるように配置されて符号化されることによって得られる符号化ストリームを復号する復号手段と、
前記復号手段により前記符号化ストリームが途中から復号される場合に、前記ランダムアクセス単位の先頭のピクチャから復号を開始するように、前記復号手段を制御する制御手段と
して機能させるためのプログラム。
【請求項２２】
請求項２１に記載のプログラムが記録されている記録媒体。
【手続補正２】
【補正対象書類名】明細書
【補正対象項目名】発明の名称
【補正方法】変更
【補正の内容】
【発明の名称】画像処理装置、画像処理方法、プログラム、および記録媒体
【手続補正３】
【補正対象書類名】明細書
【補正対象項目名】０００１
【補正方法】変更
【補正の内容】
【０００１】
本発明は、画像処理装置、画像処理方法、プログラム、および記録媒体に関し、特に、立体視画像を構成する多視点の画像を多重化して符号化する場合に、復号装置において符号化データを途中から復号する場合であっても立体視画像を構成する多視点の画像の組を認識することができるようにした画像処理装置、画像処理方法、プログラム、および記録媒体に関する。
【手続補正４】
【補正対象書類名】明細書
【補正対象項目名】００１６
【補正方法】変更
【補正の内容】
【００１６】
本発明の第１の側面の画像処理装置は、立体視画像を構成する多視点の画像を符号化する符号化手段と、ランダムアクセス単位の先頭のピクチャが前記多視点の画像のうちのいずれか１つの視点の画像のピクチャとなり、残りの視点の画像のピクチャが符号化順で前記先頭のピクチャ以降のピクチャとなるように配置して符号化するように、前記符号化手段を制御する制御手段とを備える画像処理装置である。
【手続補正５】
【補正対象書類名】明細書
【補正対象項目名】００１７
【補正方法】変更
【補正の内容】
【００１７】
本発明の第１の側面の画像処理方法、プログラム、および記録媒体は、本発明の第１の側面の画像処理装置に対応する。
【手続補正６】
【補正対象書類名】明細書
【補正対象項目名】００１８
【補正方法】変更
【補正の内容】
【００１８】
本発明の第１の側面においては、立体視画像を構成する多視点の画像が符号化される。この符号化は、ランダムアクセス単位の先頭のピクチャが多視点の画像のうちのいずれか１つの視点の画像のピクチャとなり、残りの視点の画像のピクチャが符号化順で先頭のピクチャ以降のピクチャとなるように配置されるように、制御される。
【手続補正７】
【補正対象書類名】明細書
【補正対象項目名】００１９
【補正方法】変更
【補正の内容】
【００１９】
本発明の第２の側面の画像処理装置は、立体視画像を構成する多視点の画像のランダムアクセス単位の先頭のピクチャが前記多視点の画像のうちのいずれか１つの視点の画像のピクチャとなり、残りの視点の画像のピクチャが符号化順で前記先頭のピクチャ以降のピクチャとなるように配置されて符号化されることによって得られる符号化ストリームを復号する復号手段と、前記復号手段により前記符号化ストリームが途中から復号される場合に、前記ランダムアクセス単位の先頭のピクチャから復号を開始するように、前記復号手段を制御する制御手段とを備える画像処理装置である。
本発明の第２の側面の画像処理方法、プログラム、および記録媒体は、本発明の第２の側面の画像処理装置に対応する。
【手続補正８】
【補正対象書類名】明細書
【補正対象項目名】００２０
【補正方法】変更
【補正の内容】
【００２０】
本発明の第２の側面においては、立体視画像を構成する多視点の画像のランダムアクセス単位の先頭のピクチャが多視点の画像のうちのいずれか１つの視点の画像のピクチャとなり、残りの視点の画像のピクチャが符号化順で先頭のピクチャ以降のピクチャとなるように配置されて符号化されることによって得られる符号化ストリームが復号される。なお、符号化ストリームが途中から復号される場合には、ランダムアクセス単位の先頭のピクチャから復号が開始されるように、復号が制御される。
【手続補正９】
【補正対象書類名】明細書
【補正対象項目名】００２２
【補正方法】削除
【補正の内容】